(57)【要約】【課題】長期間にわたって高い吸水性能が維持できる加湿装置および加湿空気清浄装置を提供することを目的とする。【解決手段】加湿フィルタ１７は、互いに通風性の良い加湿体２０とその外周に設けた吸水力の高い給水体２１から構成し、前記給水体２１が水槽１６の水に接し水を吸い上げ、前記加湿フィルタ１７全体に水の供給を行い、前記加湿体２０で気化する構成とし、前記給水体２１をフィルタ枠  の外周部２７に埋没させて装着したので、水道水中に含まれるスケール成分が前記加湿体２０に析出し、加湿フィルタ１７の中心部に水が行き届きにくくなっても、給水体２１から水が供給され続けるため、中心部分にも水が行き渡りやすくなり、長期間安定的に加湿を行うことができる。【選択図】図１
2015064176.tif 000002
【特許請求の範囲】
【請求項１】
吸気口と排気口を有する本体ケースと、この本体ケース内に設けられた送風手段と加湿手段とを備え、この加湿手段は水を溜める水槽と、この水槽内の水に下端が浸漬される円板状で吸い上げ式の加湿フィルタと、この加湿フィルタを固定すると共に前記水槽に回転自在に装着可能なフィルタ枠と、このフィルタ枠を回転させる回転手段とから形成し、前記加湿フィルタは、互いに通風性の良い加湿体と吸水力の高い給水体から構成されており、前記加湿体の外周に前記給水体が設けられ、前記給水体がトレイの水に接し水を吸い上げ、前記加湿フィルタ全体に水の供給を行い、前記加湿体で気化する構成であり、
前記フィルタ枠は、外周部を円環状に形成した枠体と、中心部と外周部を連結するハブから構成し、前記加湿フィルタは、前記加湿体を前記ハブにより厚み方向に外側から挟みこみ、前記給水体を前記外周部に埋没させて装着し、前記送風手段によって前記本体ケース外の空気を前記吸気口から前記加湿体を通過させて前記排気口へ送風する加湿装置。
【請求項２】
加湿フィルタは、水槽内の水を毛細管現象で吸い上げる給水体と、空気流と接触させ、加湿を行う加湿体からなることを特徴とした請求項１に記載の加湿装置。
【請求項３】
加湿フィルタの給水体と加湿体は、給水体が２枚の円環状の繊維体として加湿体の外周部を両側から挟み込むようにして縫い合わされることにより、給水体と加湿体間に導水経路を形成したことを特徴とした請求項１または２に記載の加湿装置。
【請求項４】
請求項１から３のいずれか一つに記載の加湿装置の通風経路内に、集塵手段を備えた加湿空気清浄装置。
【発明の詳細な説明】
【技術分野】
【０００１】
本発明は、室内の空気を加湿するために使用され、加湿手段としてのフィルタを有する加湿装置および加湿空気清浄装置に関するものである。
【背景技術】
【０００２】
従来のこの種の加湿装置の構成は、以下のようになっていた。
【０００３】
すなわち、従来の物においては、吸気口と排気口を有する本体ケースと、この本体ケース内に設けられた加湿手段を備え、この加湿手段は水を溜める水槽と、この水槽内の水に下端が浸漬される円板状の加湿フィルタと、この加湿フィルタに前記水槽の水を汲み上げ、給水する給水部と、前記加湿フィルタ部を覆うとともに、その外周部で前記給水部を固定したフィルタ枠部と、このフィルタ枠部の中央部の軸部を中心に回転させる回転手段とから形成され、前記吸気口から前記排気口へ空気を送風する送風手段を前記加湿手段の風路風下側に設け、前記給水部は、前記フィルタ枠部の風路風上側の周縁部に位置し、水を含んだ加湿フィルタに送風手段によって送風することによって、空気を加湿する構成となっていた（例えば、特許文献１参照）。
【先行技術文献】
【特許文献】
【０００４】
【特許文献１】特開２００８−２６７６９９号公報
【発明の概要】
【発明が解決しようとする課題】
【０００５】
このような従来の加湿装置においては、加湿水として通常水道水が使用され、水道水中にはＣａなどのスケール成分が含まれている。そのため、加湿フィルタ全体に乾燥空気を通過させる構造では、長期間加湿すると水の行き届きにくい加湿フィルタの中心部にスケールが析出することになる。そして析出したスケールによって吸水が妨げられ、吸水速度が低下するため、より長期間にわたって吸水性能を維持することができないという課題があった。また加湿性能が十分ではないという課題があった。
【０００６】
そこで本発明は、上記従来の課題を解決するものであり、長期間にわたって吸水性能が維持でき、加湿性能が優れた加湿装置および加湿空気清浄装置を提供することを目的とする。
【課題を解決するための手段】
【０００７】
そして、この目的を達成するために、本発明は、吸気口と排気口を有する本体ケースと、この本体ケース内に設けられた送風手段と加湿手段とを備え、この加湿手段は水を溜める水槽と、この水槽内の水に下端が浸漬される円板状で吸い上げ式の加湿フィルタと、この加湿フィルタを固定すると共に前記水槽に回転自在に装着可能なフィルタ枠と、このフィルタ枠部を回転させる回転手段とから形成し、前記送風手段によって前記本体ケース外の空気を前記吸気口から前記加湿フィルタ部を介して前記排気口へ送風する構成とし、前記加湿フィルタは通風性の良い加湿体と吸水力の高い給水体から構成されており、前記加湿体の外周に前記給水体が設けられ、前記給水体がトレイの水に接し水を吸い上げ、前記加湿フィルタ全体に水の供給を行い、前記加湿体で気化する構成であり、前記フィルタ枠は、外周部を円環状に形成した枠体と、中心部と外周部を連結するハブから構成し、前記加湿フィルタは前記ハブにより厚み方向に外側から挟みこまれる構成とし、前記給水体は、前記外周部に埋没させた構成としたものであり、これにより所期の目的を達成するものである。
【発明の効果】
【０００８】
本発明によれば、吸気口と排気口を有する本体ケースと、この本体ケース内に設けられた送風手段と加湿手段とを備え、この加湿手段は水を溜める水槽と、この水槽内の水に下端が浸漬される円板状で吸い上げ式の加湿フィルタと、この加湿フィルタを固定すると共に前記水槽に回転自在に装着可能なフィルタ枠と、このフィルタ枠部を回転させる回転手段とから形成し、前記送風手段によって前記本体ケース外の空気を前記吸気口から前記加湿フィルタ部を介して前記排気口へ送風する構成とし、前記加湿フィルタは通風性の良い加湿体と吸水力の高い給水体から構成されており、前記加湿体の外周に前記給水体が設けられ、前記給水体がトレイの水に接し水を吸い上げ、前記加湿フィルタ全体に水の供給を行い、前記加湿体で気化する構成であり、前記フィルタ枠は、外周部を円環状に形成した枠体と、中心部と外周部を連結するハブから構成し、前記加湿フィルタは前記ハブにより厚み方向に外側から挟みこまれる構成とし、前記給水体は、前記外周部に埋没させた構成にしたことにより、加湿フィルタが給水体と加湿体から構成され、吸水力の高い給水体が加湿体の外周に存在することにより、加湿体にスケールが付着した後も給水体から水が供給され続けるため、中心部分にも水が行き渡りやすくなり、長期間安定的に加湿を行うことができる。
【図面の簡単な説明】
【０００９】
【図１】同実施の形態１の概略断面を示す図
【図２】同実施の形態１のフィルタ枠部と水槽の斜視図
【図３】同実施の形態１のフィルタ枠部の展開図
【図４】同実施の形態２の加湿フィルタの概略断面を示す図
【発明を実施するための形態】
【００１０】
本発明の請求項１記載の加湿装置は、吸気口と排気口を有する本体ケースと、この本体ケース内に設けられた送風手段と加湿手段とを備え、この加湿手段は水を溜める水槽と、この水槽内の水に下端が浸漬される円板状で吸い上げ式の加湿フィルタと、この加湿フィルタを固定すると共に前記水槽に回転自在に装着可能なフィルタ枠と、このフィルタ枠を回転させる回転手段とから形成し、前記加湿フィルタは、互いに通風性の良い加湿体と吸水力の高い給水体から構成されており、前記加湿体の外周に前記給水体が設けられ、前記給水体がトレイの水に接し水を吸い上げ、前記加湿フィルタ全体に水の供給を行い、前記加湿体で気化する構成であり、前記フィルタ枠は、外周部を円環状に形成した枠体と、中心部と外周部を連結するハブから構成し、前記加湿フィルタは、前記加湿体を前記ハブにより厚み方向に外側から挟みこみ、前記給水体を前記外周部に埋没させて装着し、前記送風手段によって前記本体ケース外の空気を前記吸気口から前記加湿体を通過させて前記排気口へ送風する構成としたものである。
【００１１】
これにより、送風手段によって本体ケース外の空気を吸気口から加湿体を通過させて加湿を行うものであり、加湿体の外周に吸水力の高い給水体を設けて加湿体への給水を行うこととなり、加湿体にスケールが付着した後も給水体から水を供給し続けることができるため、加湿体の中心部分にも水を行き渡りやすくでき、長期間安定的に加湿を行うことができる。
【００１２】
また、請求項２記載の加湿装置は、加湿フィルタは、水槽内の水を毛細管現象で吸い上げる給水体と、空気流と接触させ、加湿を行う加湿体からなることを特徴とするものである。
【００１３】
これにより、給水体は多くの水を保持し、吸水力が高いため、加湿体に効率良く給水を行うことができる。一方で、加湿体は水の保持能力と通風性に優れた素材を使用することで圧力損失が低く、効率よく加湿を行うことができる。給水と気化それぞれの特徴を持つ素材を給水体と加湿体に対しそれぞれ選定し、役割を分けることで、給水と気化の効率を上げ、加湿性能を向上させることができる。
【００１４】
また、請求項３記載の加湿装置は、加湿フィルタの給水体と加湿体は、給水体を２枚の円環状の繊維体として加湿体の外周部を両側から挟み込むようにして縫い合わせて、給水体と加湿体間に導水経路を形成したことを特徴とするものである。
【００１５】
これにより、導水経路は、給水体が加湿体の外周部を両側から縫い合わせられることで密着して繋ぐことができ、給水体から加湿体への水の受け渡しが容易に行われ、加湿体に安定的に水の給水を行うことができるため、長期間にわたって安定的な水供給と気化を行うことができる。
【００１６】
また、請求項４記載の加湿装置は、請求項１から４のいずれか一つに記載の加湿装置の通風経路内に、集塵手段を備えた加湿空気清浄装置。これにより、吸込口から吸い込まれた空気中のホコリや雑菌を集塵手段で捕集して、より清潔な空気を提供できる。
【００１７】
（実施の形態１）
図１に示すように、加湿装置１０は、吸気口１１と排気口１２を有する本体ケース１３と、この本体ケース１３内に設けられた送風手段１４と加湿手段１５とを備え、この加湿手段１５は水を溜める水槽１６と、この水槽１６内の水に下端が浸漬される円板状で吸い上げ式の加湿フィルタ１７と、この加湿フィルタ１７を固定すると共に前記水槽１６に回転自在に装着可能なフィルタ枠１８と、このフィルタ枠１８を回転させる回転手段１９とから形成し、前記加湿フィルタ１７は、互いに通風性の良い加湿体２０と吸水力の高い給水体２１から構成されており、前記加湿体２０の外周に前記給水体２１が設けられ、前記給水体２１がトレイの水に接し水を吸い上げ、前記加湿フィルタ１７全体に水の供給を行い、前記加湿体２０で気化する。
【００１８】
このような構成における空気清浄および、加湿動作について説明する。水槽１６に常時一定の水位となるように水が供給され、加湿フィルタ１７の一部が常時浸かった状態となる。加湿フィルタ１７は水を吸い上げるが、ここで回転手段１９によってフィルタ枠１８を回転させることで、加湿フィルタ１７に水が供給される。つまり回転手段１９によりフィルタ枠１８を回転させ続けることで加湿フィルタ１７は常時水を保持した状態に保たれる。
【００１９】
送風手段１４を動かすことにより前記本体ケース１３外の空気を前記吸気口１１から前記加湿体２０を通過させて前記排気口１２へ送風することとなる。
【００２０】
ここで、送風手段１４によって吸気口１１から本体ケース１３内に吸い込まれた空気は本体ケース１３内に備えられた集塵手段２２と水を保持した状態の加湿フィルタ１７とを通過し加湿清浄空気となり、排気口１２から室内に排出され、加湿が行われる。加湿フィルタ１７が円盤状で回転しており、水槽１６に浸漬した加湿フィルタ１７の一部が水を吸い上げ、吸い上げられた水が加湿フィルタ１７に導水し、気化が起こる。
【００２１】
従来の加湿フィルタでは、水道水中に含まれるスケール成分の付着が進み、加湿フィルタへの導水が阻害され、水が行き届き難い部分が生じ、加湿効率が下がる。特に加湿フィルタの中心部分は送風が行われやすいため、スケール付着が起こりやすく、水が届きにくくなる。
【００２２】
そこで図２および図３に示すように、前記フィルタ枠１８は、フィルタ枠ケース部２３とフィルタ枠カバー部２４からなり、双方ともに円環状の平板２５の淵に円柱状の側壁２６を立てて形成した外周部２７と、中心部とこの外周部２７を連結するハブ２８から構成し、前記フィルタ枠ケース部２３の内側に前記フィルタ枠カバー部２４をはめ込むことにより、前記フィルタ枠１８間にスペース２９を形成し、前記スペース２９に前記加湿フィルタ１７を装着する。また、前記フィルタ枠ケース部２３の前記外周部２７により、前記加湿フィルタ１７の外周に設けられた前記給水体２１は、円環状の平板２５の淵と円柱状の側壁２６によって３方を囲まれた状態で装着している。
【００２３】
すなわち、加湿フィルタ１７は、加湿体２０を前記ハブ２８により厚み方向に外側から挟みこみ、前記給水体２１を前記外周部２７に埋没させて装着している。そして、給水体２１は外周部２７に埋没させたことで、送風を受けない構造とすることができる。
【００２４】
また、加湿フィルタ１７は、通風性の良い加湿体２０と吸水力の高い給水体２１から構成されており、前記加湿体２０の外周部２７に前記給水体２１を埋没させて設けているので、前記給水体２１が外周部２７の内周側で水槽１６の水に接し水を吸い上げ、前記加湿フィルタ１７全体に水の供給を行い、前記加湿体２０で気化する構成であり、加湿フィルタ１７が給水体２１と加湿体２０から構成され、吸水力の高い給水体２１が加湿体２０の外周部に存在する。
【００２５】
すなわち、円板状の加湿フィルタ１７の下端が、水槽１６内の水に水没するので、加湿フィルタ１７の外周部に存在する給水体２１は、回転手段１９によって回転することにより、水槽１６内の水を吸い上げる。この加湿フィルタ１７の給水体２１に付着した水は加湿体２０の中心部まで満遍なく水が行渡るようになり、この水を含んだ加湿体２０に風が通過することで加湿を行うものである。このように、加湿フィルタ１７が給水体２１と加湿体２０から構成され、吸水力の高い給水体２１が加湿体２０の外周部に存在することにより、加湿体２０にスケールが付着した後も給水体２１から水が供給され続けるため、中心部分にも水が行き渡りやすくなり、長期間安定的に加湿を行うことができる。また給水体２１を外周部２７に埋没することにより、給水体２１は気化が行われないため、給水体２１に付着するスケール成分の析出を防ぐ。これにより、加湿フィルタ１７の加湿体２０にスケールが付着した後も、給水体２１が全体への水供給を滞りなく行うことができ、加湿体２０に安定的に水の給水を行うことができるため、長期間にわたって安定的な水供給と気化を行うことができる。
【００２６】
また、給水体２１を外周部２７に埋没することで、フィルタ枠１８により通風が行われないため、非通風部の壁を新しく設ける必要性がなく余計なコストがかからない。また、これまでフィルタ枠１８により加湿に寄与されなかった加湿フィルタ１７部分がなくなり、給水に用いることができるため、少ないフィルタ面積で多くの加湿量を保つことができる。
【００２７】
また、図１の加湿手段１５の上流部に集塵手段２２を備えることによって、加湿空気清浄装置とすることができる。吸気口１１から本体ケース１３内に導入された空気は、水槽１６から給水体２１を通じて吸い上げた水を保持した加湿体２０を通過して加湿され、さらに集塵手段２２を通過して粒子の除去が行われ、排気口１２から清浄化された加湿空気を放出する。集塵手段２２は、ガラス繊維、合成樹脂繊維、スポンジ等の一般的に空気清浄フィルタとして用いられるものを使用することができる。
【００２８】
なお、送風手段１４としては、たとえば、ターボファン、シロッコファンなどが挙げられる。以上の構成により、加湿と粒子の除去を行いながら、長期間にわたり安定的な気化と空気清浄を行うことができる加湿空気清浄装置を得ることができる。
【００２９】
（実施の形態２）
本実施の形態では、加湿フィルタ１７の構造をより具体的に説明する。図４に示すように、加湿フィルタ１７の給水体２１と加湿体２０は、給水体２１を２枚の円環状の繊維体として加湿体２０の外周部を両側から挟み込むようにして縫い合わせており、給水体２１は、水槽１６内の水を毛細管現象で吸い上げる。吸い上げられた水は給水体２１と加湿体２０間の縫目３０を通過し、加湿体２０へ供給される。これにより給水体２１と加湿体２０間に導水経路が形成され、給水体２１により吸水された水は、滞りなく加湿体２０に給水できるため、加湿効率が高まり、安定的な水供給と気化を行うことができる。
【００３０】
また、加湿体２０は、一般的に加湿用に用いられているものを使用できる。セルロース等の紙や木質素材をコルゲート形状に加工したもの、絹・毛・綿・麻等の天然繊維、レーヨン・アセテート・トリアセテート等の合成繊維をコルゲート状にしたもの、吸水性のあるセラミックスハニカムなどを用いることができる。
【００３１】
また、給水体２１には吸水性の繊維を用いても良い。吸水性の繊維としては、公定水分率が０．４％以上の繊維を用いることができる。たとえば合成繊維ではポリエステル、アクリル、ナイロン、ビニロン、レーヨン、ポリノジック、キュプラ、アセテート、トリアセテート、プロミックスなどが挙げられる。天然繊維としては、絹、毛、綿、麻などが挙げられる。ポリビニルアルコールスポンジ、ナイロンマイクロファイバーなどを用いても良い。セルロース等の紙や木質素材、絹・毛・綿・麻等の天然繊維、レーヨン・アセテート・トリアセテート等の合成繊維、吸水性のあるセラミックスを用いてもよい。
【産業上の利用可能性】
【００３２】
本発明にかかる加湿装置は、長期間にわたり安定的な水供給と気化を行うことを可能とするものであるので、家庭用、あるいは業務用として使用される加湿装置、加湿機能付空気清浄装置等として有用である。
【符号の説明】
【００３３】
１０  加湿装置
１１  吸気口
１２  排気口
１３  本体ケース
１４  送風手段
１５  加湿手段
１６  水槽
１７  加湿フィルタ
１８  フィルタ枠
１９  回転手段
２０  加湿体
２１  給水体
２２  集塵手段
２３  フィルタ枠ケース部
２４  フィルタ枠カバー部
２５  円環状の平板
２６  円柱状の側壁
２７  外周部
２８  ハブ
２９  スペース
３０  縫目
【図１】
2015064176.tif 000003
【図２】
2015064176.tif 000004
【図３】
2015064176.tif 000005
【図４】
2015064176.tif 000006